(57)【特許請求の範囲】
【請求項１】
一対の支柱間に複数個の踏桟を一定間隔毎に架け渡してなる梯子を、ブラケットを介して構造物の壁体に取り付ける梯子の取り付け構造であって、上記支柱に垂直平坦面を形成し、該垂直平坦面に上記各踏桟の両端部を取り付け、上記両支柱に対する各踏桟両端部の取り付け位置よりそれぞれ外側の上記垂直平坦面に上記ブラケットの梯子取り付け端部を取り付けたことを特徴とする梯子取り付け構造。
【請求項２】
上記支柱の垂直平坦面に軸方向に沿って開口部が幅狭の溝を形成すると共に、該溝内にボルト頭部を挿入しボルト軸部を支柱平坦面から突出した状態で、ブラケットの取り付け端部に形成したボルト挿通孔からボルト軸部を通した後、該ボルトとナットを螺合させることにより上記支柱とブラケットとを固定したことを特徴とする請求項１記載の梯子取り付け構造。
【請求項３】
一対の支柱間に複数個の踏桟を一定間隔毎に架け渡してなる梯子を、ブラケットを介して構造物の壁体に取り付ける梯子の取り付け構造であって、上記支柱の垂直平坦面に軸方向に沿って開口部が幅狭の溝を形成すると共に、該溝内にボルト頭部を挿入しボルト軸部を支柱平坦面から突出した状態で、ブラケットの取り付け端部に形成したボルト挿通孔からボルト軸部を通した後、該ボルトとナットを螺合させることにより上記支柱とブラケットとを固定したことを特徴とする梯子取り付け構造。
【請求項４】
一対の支柱間に複数個の踏桟を一定間隔毎に架け渡してなり、上記両支柱をブラケットを介して構造物の壁体に取り付ける梯子において、上記支柱が垂直平坦面を有する筒状に形成されていると共に、上記垂直平坦面に軸方向に沿って開口部が幅狭の溝が連続して形成され、この溝より内側において上記各踏桟の両端部が両支柱の垂直平坦面に取り付けられており、かつ上記溝内にボルト頭部を挿入しボルト軸部を支柱平坦面から突出した状態で、ブラケットの取り付け端部に形成したボルト挿通孔からボルト軸部を通した後、該ボルトとナットを螺合させることにより上記支柱とブラケットとを固定したことを特徴とする梯子。
【請求項５】
上記両支柱を踏桟両端部とをそれぞれブラインドリベットにより締結したことを特徴とする請求項４記載の梯子。
【発明の詳細な説明】
【０００１】
【発明の属する技術分野】
本発明は、人が構造物高所に昇降するための梯子に関するものであり、特に梯子を該構造物に取り付ける時の取り付け構造及びこれを構成する梯子に関する。
【０００２】
【従来の技術】
従来、住宅や煙突、給水タンク等の構造物において、人が該構造物の高所に移動することができるようにするため、側壁に梯子が設置されている。図６に、構造物の側壁に設置された梯子の概略図を示す。梯子１０は、平行に並んだ一対の支柱１，１の間に、踏桟２を複数本水平に配設したものであり、図６（Ｂ）に示すように、構造物Ａに配設されたブラケット３に支柱１を締結させて設置することが一般的である。
【０００３】
上記従来の梯子の構造と、梯子と構造物との締結方法について図３〜図５を参照しながら説明する。
【０００４】
上記支柱１は、例えば断面略Ｄ字型の筒状に形成されており、垂直平坦面１ａを有する。この平坦面１ａの幅方向中央部には、断面矩形状の溝１１が、軸方向に沿って連続して形成されており、この溝１１の開口部両側端にはそれぞれ係止突条１１ａ，１１ａが一体に突設されることにより、溝１１の開口部が幅狭に形成され、後述するナットｎをこの溝１１内に挿入した際に溝１１から抜け出さないようになっている。
【０００５】
同じく梯子を構成する部材である踏桟２は、主部２１が円筒管で、その両端部２２はプレスされて平板になっているものであり、平板両端部２２には、それぞれ表裏貫通するボルト穴が一箇所づつ設けられている。
【０００６】
上記支柱１の溝部１１には、ナットｎが座面を平坦面１ａに対向した状態で挿入されており、該ナットｎに踏桟端部２２のボルト穴２３を貫通させた六角ボルトｂを螺合することにより、支柱１に踏桟２を固定している。なお、上記従来例においては、ボルトｂの軸部は溝部１１の底面を貫通させている。
【０００７】
上記踏桟２は、二本の支柱間に水平に複数本配設されて、梯子を形成しており、特に限定されるものではないが、踏桟２の設置間隔は通常３００ｍｍ〜４００ｍｍ程度であり、二本の支柱間隔についても通常４００ｍｍ程度である。また、支柱一本の巾は、人が手で握れる５０ｍｍ程度の寸法であることが一般的である。
【０００８】
上記梯子１０を構造物Ａに設置する場合には、図６（Ｂ）に示しているように、ブラケット３を用いて構造物に設置している。該ブラケット３は、板状部材を二箇所で９０°折り曲げたＺ形鋼であり、このブラケット３は、これに梯子１０を取り付ける前に予め構造物Ａに取り付けられている。そして、従来のブラケット３の取り付け構造においては、構造物に配設されたブラケット３に梯子の支柱１を固定する際に、踏桟２の固定と同様にしている。即ち、支柱１の溝部１１に挿入したナットｎに、ブラケット３に形成されているボルト穴を貫通させた六角ボルトｂを係合することにより、支柱１をブラケット３に固定している。
【０００９】
【発明が解決しようとする課題】
しかしながら、上記従来の梯子においては、以下に示すような欠点があった。即ち、図６（Ｂ）に示すように、梯子１０は、構造物Ａに対してブラケット３を介して設置されているが、ブラケット３の設置位置は、構造物側の強度的に十分な場所に制限されてしまうため、図６（Ｂ）において３（ａ）で示すように、踏桟２と踏桟２との間にブラケット３が配設されるとは限らず、図６（Ｂ）中、３（ｂ）で示すように踏桟２と同じ位置（高さ）に配設されるブラケット３が存在する場合がある。踏桟２とブラケット３が同じ位置（高さ）に配設されてしまうと、ブラケット３は構造物側にて場所が制限されていることから位置変更ができないため、踏桟２の位置を変更せざるを得ないといった問題があった。しかし踏桟２の位置を変更した場合、該当する部分だけ踏桟設置間隔が変わることになり、見た目が悪くなるばかりか、該梯子を使用して人が構造物の高所へと登る場合に一定間隔でない踏桟を昇降することになり、危険性を伴うものであった。
【００１０】
さらに、梯子設置作業は、上述の理由から建物に配設されているブラケット３の位置を事前に確認する必要があり、手間がかかる上、実作業では現場で梯子支柱１とブラケット３を合わせた後、踏桟位置を調整することも多く、施工性に問題があるものであった。
【００１１】
本発明は、上記事情に鑑みてなされたもので、構造物に設置し、構造物の高所へ移動できるようにするための梯子において、ブラケットの位置によらず、踏桟の設置間隔を一定のままにしておくことができる梯子取り付け構造及びこれを構成する梯子を提供することを目的とするものである。
【００１２】
【課題を解決するための手段】
本発明者は、上記目的を達成するため鋭意検討を行った結果、支柱に設置する踏桟については、ボルトのように高い接触面圧を有する部材により固定しなくても、例えばリベットやねじ等の比較的幅をとらない部材によって締結することによって、十分な強度で固定できることを見出し、本発明を完成させた。
【００１３】
従って、本発明は、一対の支柱間に複数個の踏桟を一定間隔毎に架け渡してなる梯子を、ブラケットを介して構造物の壁体に取り付ける梯子の取り付け構造であって、上記支柱に垂直平坦面を形成し、該垂直平坦面に上記各踏桟の両端部を取り付け、上記両支柱に対する各踏桟両端部の取り付け位置よりそれぞれ外側の上記垂直平坦面に上記ブラケットの梯子取り付け端部を取り付けたことを特徴とする梯子取り付け構造を提供するものである。この場合、梯子としては、一対の支柱間に複数個の踏桟を一定間隔毎に架け渡してなり、上記両支柱をブラケットを介して構造物の壁体に取り付ける梯子において、上記支柱が垂直平坦面を有する筒状に形成されていると共に、上記垂直平坦面に軸方向に沿って開口部が幅狭の溝が連続して形成され、この溝より内側において上記各踏桟の両端部が両支柱の垂直平坦面に取り付けられており、かつ上記溝内にボルト頭部を挿入しボルト軸部を支柱平坦面から突出した状態で、ブラケットの取り付け端部に形成したボルト挿通孔からボルト軸部を通した後、該ボルトとナットを螺合させることにより上記支柱とブラケットとを固定した梯子であることが好適である。
【００１４】
従って、本発明によれば、梯子支柱において、ブラケットの締結位置と踏桟の締結位置とが相互に邪魔にならず、ブラケットの締結位置と踏桟の締結位置とが支柱の同一位置（高さ）にあっても、いずれも支障なく支柱に締結でき、構造物側より設置位置が制限されているブラケットを梯子のどの位置でも設置することができると共に、この際ブラケットの締結によって、梯子の踏桟を移動させる必要はなく、踏桟を一定の等間隔で支柱に取り付けることができる。また、このようにブラケットの締結位置に対して踏桟の締結位置を変えなくともよく、踏桟の締結位置がブラケットを締結する際に邪魔にならないため、従来のように現場で踏桟を付けかえる必要がなくなり、施工現場では、ブラケットに支柱を取り付けるだけでよいため、施工を簡略化することができる。
【００１５】
更に、梯子の製造工程においても、支柱に対して踏桟を取り付ける場合に、ブラインドリベットを用いれば、いわばワンタッチで容易に支柱に対して踏桟を締結することができ、製造工程が簡略化し、かつ締結部材をボルトから単価の低いブラインドリベットにすることにより、製造コストの削減をも実現できるものである。
【００１６】
【発明の実施の形態及び実施例】
以下、本発明の一実施例につき図１〜２を参照して説明する。なお、支柱，踏桟，ブラケット自体の構成は、図３〜６の場合と同様であるため、同一部品に同一の参照符号を付してその説明を省略する。該梯子は、図に示すように支柱１に踏桟２とブラケット３が固定されているものであり踏桟２の平坦面１ａの内側端部寄りに多数のリベット穴１２が軸方向に沿って等間隔毎に形成されており、これらリベット穴１２にブラインドリベットｒを挿入し、打ち込むことによって、踏桟２はブラインドリベットｒにより平坦面１ａに締結され、ブラケット３は上記踏桟２の締結位置より外側において、支柱溝部１１に挿入されたボルトｂとナットｎにより固定されている。
【００１７】
即ち、上記支柱１に対し、踏桟端部２２の平板部に形成されているリベット用孔２３を支柱のリベット用孔１２に合わせた上、両部材をブラインドリベットｒにより締結することにより、支柱１に踏桟２を固定して梯子を形成している。この時、支柱平坦面と踏桟端面が当接しているのは支柱平坦面の幅１／３程度であり、平坦面の溝に干渉することなく踏桟が固定されている。
【００１８】
一方、ブラケット３は、六角ボルトｂとナットｎにより支柱に締結されているもので、支柱の溝部１１に頭部が挿入されている六角ボルトｂのねじ部をブラケット３の孔部に貫通させ、ナットｎにて固定したものである。
【００１９】
図１に示しているように、ブラケット３において支柱平坦面１ａに当接している部分は、支柱平坦面１ａの巾２／３程度であり、踏桟２とブラケット３が同じ高さに配設されている時は、踏桟２の端部とブラケット端部が数ミリの間隔をあけて向かい合った状態となっている。
【００２０】
即ち、ブラケット３は、踏桟２の干渉を受けることなく支柱１に配置することができ、さらに支柱１に形成されている溝１１は、支柱１の全長に渡っていることから、ボルトｂを取り付ける位置即ちブラケット３取り付け位置は任意に設定することができる。
【００２１】
また、ブラケット３の支柱１と締結していない他端部は、構造物Ａの側壁にボルト止めされた状態であり、これによって梯子１０が構造物Ａに設置された状態となっている。さらに、実施例では、上記溝部１１にボルトｂの頭部が挿入されており、ブラケット３の孔部を軸部が通過したボルトｂがその頭部とブラケット３を挟持するようにナットｎとで押えるようになっており、これによって締結がより容易かつ確実に行なわれる。
【００２２】
さらに、本実施例では、上述のように上記両支柱１，１と踏桟両端部２２，２２とをそれぞれブラインドリベットｒにより締結している。ブラインドリベットｒは、部材表面に当接する頭部を有する円筒軸と該円筒軸部に内挿されている軸部の二部材から構成されているもので、内部に挿入されている軸部を押し込みまたは引き抜くことにより、円筒軸を拡径し、部材を締結させるものであり、一方向からの作業により二つの部材を締結することができるものである。このため、リベットの一端部を抑えることができないような個所に部材を締結する際に便利であり、本実施例のように中空部材である支柱１に板状部材である踏桟端部２２を締結する場合に好適に用いられ、かつ該ブラインドリベットｒは、ワンタッチで締結作業ができることから他の締結方法と比較しても、作業性が有利なものである。また、ブラインドリベットｒ自体がボルトに比べると安価であるため、梯子１０を製造する際に、従来のようなボルトとナットを締結方法として採用した場合と比較して、材料コストの低減と作業性の向上により、梯子製造コストの低減を達成できうるものである。
【００２３】
なお、ブラケット３の固定方法について、本実施例ではボルトｂとナットｎによってのみ固定しているが、特に限定されるものではなく、ボルトｂが緩んだ時のことを考慮して、固定をより確実なものとするため、ブラケット３と支柱平坦面に両部材を貫通する孔を設け、リベットｒやねじを差し込むことがより好適な実施例として挙げることができる。さらにボルトｂとナットｎの螺合方法は、従来例のように支柱溝部１１にナットｎを挿入し、ブラケット３の側からボルトｂを差し込みナットｎと螺合するようにしてもよい。その他の構成についても、本発明の要旨を逸脱しない限り適宜変更して差し支えない。
【００２４】
【発明の効果】
以上説明したように、本発明によれば、梯子を構造物の側壁等に設置する場合に、梯子の踏桟位置をずらすことなく、構造物に配設されている設置用ブラケットに取り付けることができ、踏桟間隔が変わることによる梯子の機能低下を防ぎ、かつ構造物に梯子を設置する際の施工性も向上したものである。
【図面の簡単な説明】
【図１】  本発明の一実施例に係る梯子取り付け部材を示す概略図である。
【図２】  本発明の一実施例に係る梯子取り付け部材断面図を示すもので、図１中のＡ−Ａ矢視を示すものである。
【図３】  従来実施例の梯子取り付け部材を示す概略図である。
【図４】  従来実施例の梯子取り付け部材断面図を示すもので、図１中のＡ−Ａ矢視を示すものである。
【図５】  従来実施例の梯子取り付け部材断面図を示すもので、図１中のＢ−Ｂ矢視を示すものである。
【図６】  従来実施例の梯子を示す概略図であり、（Ａ）は概略正面図、（Ｂ）は構造物に実際に設置した場合の概略側面図を示すものである。
【符号の説明】
１０  梯子
１  支柱
１ａ  平坦面
１１ａ  係止突条
１１  溝部
１２  リベット用孔
２  踏桟
２１  踏桟本体部
２２  踏桟端部
２３  リベット用孔
３  ブラケット
Ａ  構造物
ｂ  ボルト
ｎ  ナット
ｒ  リベット（ブラインドリベット）
【図１】
0004336917.tif 000002
【図２】
0004336917.tif 000003
【図３】
0004336917.tif 000004
【図４】
0004336917.tif 000005
【図５】
0004336917.tif 000006
【図６】
0004336917.tif 000007